(57)【要約】【課題】体液浄化治療の施行性が向上し、治療施設における医療機器の在庫を削減でき、且つ医療機器の生産管理性が向上することができることができる医療機器セット受発注システム及び医療機器セット受発注方法を提供する。【解決手段】院内施設２に設けられて治療計画情報が登録される電子カルテ２３と、院外施設３に設けられる院外施設サーバ４と、を備え、院外施設サーバ４は、電子カルテ２３に登録された治療計画情報を取得する治療計画情報取得部４１と、治療計画情報取得部４１が取得した治療計画情報に基づいて、治療施設、治療時期及び患者ごとに医療機器セットを構成する複数の医療機器の種類を示す梱包指示書９を出力する出力部４３と、を有する。【選択図】図１
2014228942.tif 000002
【特許請求の範囲】
【請求項１】
院内施設に設けられて、患者の体液を浄化する体液浄化治療を行う治療施設及び治療時期と、前記体液浄化治療に用いる複数の医療機器を組み合わせた医療機器セットの情報と、を含む患者ごとの治療計画情報が登録される院内施設側登録部と、
院外施設に設けられて、前記医療機器セットを構成する複数の前記医療機器を前記治療施設、前記治療時期及び患者ごとに一つの第一容器に梱包して、当該第一容器を前記治療施設に配送するために、前記医療機器セットを構成する複数の前記医療機器を受注する医療機器セット受注側装置と、
を備え、
前記医療機器セット受注側装置は、
前記院内施設側登録部に登録された前記治療計画情報を取得する治療計画情報取得部と、
前記治療計画情報取得部が取得した前記治療計画情報に基づいて、前記治療施設、前記治療時期及び患者ごとに前記医療機器セットを構成する複数の前記医療機器の種類を示す梱包指示書を出力する出力部と、
を有することを特徴とする、
医療機器セット受発注システム。
【請求項２】
前記出力部は、前記梱包指示書を前記治療施設及び前記治療時期ごとに纏めて出力することを特徴とする、
請求項１に記載の医療機器セット受発注システム。
【請求項３】
前記医療機器セットを構成する複数の前記医療機器のうち少なくとも一種に、当該医療機器の種類を識別する第一識別情報が付されており、
前記出力部は、前記第一容器に付して、前記医療機器セットを構成する複数の前記医療機器の種類を前記治療施設、前記治療時期及び患者ごとに識別する第二識別情報を出力することを特徴とする、
請求項１又は２に記載の医療機器セット受発注システム。
【請求項４】
前記出力部は、前記治療施設及び前記治療時期ごとに第二容器に梱包される前記第一容器に付して、前記医療機器セットを構成する複数の前記医療機器の種類を、前記治療施設、前記治療時期及び患者ごとに識別する第二識別情報を出力し、かつ、前記梱包指示書に、治療施設及び治療時期を識別する第三識別情報を、前記梱包指示書に付して出力することを特徴とする、
請求項１〜３の何れか一項に記載の医療機器セット受発注システム。
【請求項５】
前記院外施設は、
前記医療機器を生産して、前記医療機器セットを構成する複数の前記医療機器を、前記治療施設、前記治療時期及び患者ごとに一つの前記第一容器に梱包する梱包施設と、
前記梱包施設で梱包された前記第一容器を保管する保管施設と、
前記保管施設に保管された前記第一容器を前記治療施設に配送する配送施設と、
を有し、
前記出力部は、前記梱包施設、前記保管施設及び前記配送施設のそれぞれにおいて前記梱包指示書を出力することを特徴とする、
請求項１〜４の何れか一項に記載の医療機器セット受発注システム。
【請求項６】
院内施設において、患者の体液を浄化する体液浄化治療を行う治療施設及び治療時期と、前記体液浄化治療に用いる複数の医療機器を組み合わせた医療機器セットの情報と、を含む患者ごとの治療計画情報を院内施設側登録部に登録する院内施設側登録ステップと、
院外施設において、前記医療機器セットを構成する複数の前記医療機器を前記治療施設、前記治療時期及び患者ごとに一つの第一容器に梱包して、当該第一容器を前記治療施設に配送するために、前記医療機器セットを構成する複数の前記医療機器を受注する医療機器セット受注ステップと、
を備え、
前記医療機器セット受注ステップは、
前記院内施設側登録部に登録された前記治療計画情報を取得する治療計画情報取得ステップと、
前記治療計画情報取得ステップにおいて取得した前記治療計画情報に基づいて、前記治療施設、前記治療時期及び患者ごとに前記医療機器セットを構成する複数の前記医療機器の種類を示す梱包指示書を出力する出力ステップと、
を有することを特徴とする、
医療機器セット受発注方法。
【請求項７】
前記出力ステップは、前記梱包指示書を前記治療施設及び前記治療時期ごとに纏めて出力することを特徴とする、
請求項６に記載の医療機器セット受発注方法。
【発明の詳細な説明】
【技術分野】
【０００１】
本発明は、患者の体液を浄化する体液浄化治療に用いる複数の医療機器を組み合わせた医療機器セットを受発注する医療機器セット受発注システム及び医療機器セット受発注方法に関する。
【背景技術】
【０００２】
現在、血液や腹水等の体液を浄化するために、体液を体外循環させて浄化する体液浄化治療が行われている。体液浄化治療では、体液浄化器、体液浄化回路、体液浄化用針、体液浄化ケアセット等の複数の医療機器が用いられ、医者や看護師等の医療行為者が、体液浄化治療を行う際にこれらの医療機器を組み合わせて、体液浄化治療を行っている。
【０００３】
また、体液浄化治療を行うためには、更に、抗凝固剤、消毒薬等の医薬が必要になるため、体液浄化治療を行うまでに、体液浄化器、体液浄化回路、体液浄化用針、体液浄化ケアセット等の医療機器と、抗凝固剤、消毒薬等の医薬とを準備している。
【０００４】
なお、特許文献１に、患者に関する情報が記載されたシートと医薬品とを患者の移動先にある医療サイトに配送するシステムが開示されている。
【先行技術文献】
【特許文献】
【０００５】
【特許文献１】特開２００３−１０８６６８号公報
【発明の概要】
【発明が解決しようとする課題】
【０００６】
ところで、体液浄化治療に用いられる各医療機器には、様々な種類のものが存在する。透析治療の場合、透析器の種類は、メーカー、グレード（透過性能）、膜面積の３つの組み合わせにより決まる。そして、体液浄化治療に用いる医療機器は患者及び治療時期によって変わるため、体液浄化治療を行う病院等の医療機関では、各医療機器について多くの種類のものを保管しておく必要がある。各病院が保有する透析器の種類を平均すると、メーカーが３社、グレードが５段階、膜面積が７種類となっている。しかも、体液浄化治療に用いる複数の医療機器を間違いなく組み合わせる必要があるところ、各医療機器の種類が多いことから、医療行為者の各医療機器を組み合わせる作業負担が大きい。
【０００７】
また、体液浄化治療を行う医療機関には、体液浄化治療を行う各医療機器が、それぞれ複数個単位（例えば、１ダース単位）で箱詰めされた状態で納品される。このため、医療機関では、医療機器の在庫が多くなるため、保管スペースや保管コストの問題が発生している。しかも、治療行為者は、医療機関に保管している多くの医療機器の中から、体液浄化治療に必要な医療機器を探し出す必要があるため、治療行為者の各医療機器を探し出す作業負担が大きい。
【０００８】
ところで、体液浄化治療の一つである透析治療は、通常、透析施設では一日に午前と午後の二回行い、一部の施設では夜間を加えた計三回行っているところもある。特に、午後と夜間に行う透析治療の準備は、前の透析治療が終了してから４０分程度の短い時間で行う必要があるため、緊張感のある作業となる。医療機関では、医療機器の組み合わせミスや医療機器の接続ミス等を防止する必要があるところ、このような状況の中で、医療機器の組み合わせミスや医療機器の接続ミス等を誘発する恐れもある。
【０００９】
更に、体液浄化治療の一つである透析治療を受ける患者は、平均年齢が６８歳と高齢であり、痴呆症を発症している者や足が不自由な者が多い。このため、患者が医療機関を選択する基準としては、医師や看護師のケアが充実していることが重要視されている。このような対策として、医療機関では、医者及び看護師に患者をケアする医療行為に専念させ、治療に用いる医療機器の準備のために別途人員を雇用し、更に、別途雇用する人員に対しては医療機器の組み合わせミスを発生させないように徹底した教育等を実施する必要がある。
【００１０】
一方、各医療機器を製造するメーカーでは、医療機関からの発注に応じて体液浄化治療に用いる各医療機器を製造して医療機関に配送している。しかしながら、医療機関における体液浄化治療の状況を適時に把握することができないため、各医療機器の生産管理が非効率的であるという問題もある。
【００１１】
なお、特許文献１に開示された技術は、体液浄化治療のように複数の医療機器を組み合わせるものではないため、上記問題を解決するものではない。
【００１２】
そこで、本発明は、体液浄化治療の施行性が向上し、治療施設における医療機器の在庫を削減でき、且つ医療機器の生産管理性が向上することができる医療機器セット受発注システム及び医療機器セット受発注方法を提供することを目的とする。
【課題を解決するための手段】
【００１３】
本発明に係る医療機器セット受発注システムは、院内施設に設けられて、患者の体液を浄化する体液浄化治療を行う治療施設及び治療時期と、体液浄化治療に用いる複数の医療機器を組み合わせた医療機器セットの情報と、を含む患者ごとの治療計画情報が登録される院内施設側登録部と、院外施設に設けられて、医療機器セットを構成する複数の医療機器を治療施設、治療時期及び患者ごとに一つの第一容器に梱包して、当該第一容器を治療施設に配送するために、医療機器セットを構成する複数の医療機器を受注する医療機器セット受注側装置と、を備え、医療機器セット受注側装置は、院内施設側登録部に登録された治療計画情報を取得する治療計画情報取得部と、治療計画情報取得部が取得した治療計画情報に基づいて、治療施設、治療時期及び患者ごとに医療機器セットを構成する複数の医療機器の種類を示す梱包指示書を出力する出力部と、を有することを特徴とする。
【００１４】
ここで、体液浄化治療には、血液透析、血液濾過、血液濾過透析、持続的腎代替療法（ＣＲＲＴ）、腹膜透析、血漿交換、二重濾過血漿交換（ＤＦＰＰ）、血漿吸着療法などが含まれる。また、体液浄化治療には、腹水濾過濃縮再静注法（ＣＡＲＴ）も含まれる。
【００１５】
本発明に係る医療機器セット受発注システムによれば、院内施設において院内施設側登録部に治療計画情報を登録すると、院外施設の医療機器セット受注側装置では、治療計画情報取得部が、院内施設側登録部に登録された治療計画情報を取得し、更に、出力部が、この取得した治療計画情報に基づいて、治療施設、治療時期及び患者と医療機器セットを構成する複数の医療機器との対応を示す梱包指示書を出力する。このため、院外施設では、出力部から出力された梱包指示書を見ることで、医療機器セットを構成する複数の医療機器を治療施設、治療時期及び患者ごとに間違いなく一つの第一容器に梱包することができ、この梱包した第一容器を治療時期の前に治療施設に配送することができる。
【００１６】
これにより、治療施設では、体液浄化治療を行うときに必要な分だけ、体液浄化治療に用いる医療機器セットを構成する複数の医療機器を受け取ることになるため、治療施設における医療機器の在庫を削減することができる。また、治療施設に配送された第一容器には、治療時期及び患者ごとに体液浄化治療に用いる複数の医療機器が梱包されているため、治療施設では、体液浄化治療を行う際に体液浄化治療に用いる複数の医療機器を組み合わせる必要が無くなる。このため、治療施設における体液浄化治療の施行性が向上する。しかも、院外施設では、治療施設で必要な医療機器の種類及び数を適時に把握することができるため、医療機器の生産管理性が向上する。
【００１７】
また、出力部は、梱包指示書を治療施設及び治療時期ごとに纏めて出力するものとすることができる。このように、梱包指示書を治療施設及び治療時期ごとに纏めて出力することで、医療機器セットを構成する複数の医療機器を梱包した第一容器を、治療施設及び治療時期ごとに容易に纏めることができる。これにより、治療施設への配送を、適時かつ効率的に行うことができる。
【００１８】
また、医療機器セットを構成する複数の医療機器のうち少なくとも一種に、当該医療機器の種類を識別する第一識別情報が付されており、出力部は、第一容器に付して、医療機器セットを構成する複数の医療機器の種類を治療施設、治療時期及び患者ごとに識別する第二識別情報を出力するものとすることができる。これにより、出力部から出力された第二識別情報を第一容器に付し、医療機器に付された第一識別情報から特定される医療機器の種類と、第一容器に付された第二識別情報から特定される医療機器の種類と、を対比することで、第一容器に医療機器が適切に梱包されているか否かを判定することができる。これにより、第一容器に対する医療機器セットの梱包ミスを防止することができる。
【００１９】
また、出力部は、治療施設及び治療時期ごとに第二容器に梱包される第一容器に付して、医療機器セットを構成する複数の医療機器の種類を、治療施設、治療時期及び患者ごとに識別する第二識別情報を出力し、かつ、梱包指示書に、治療施設及び治療時期を識別する第三識別情報を、梱包指示書に付して出力するものとすることができる。これにより、出力部から出力された第二識別情報を第一容器に付し、第二容器に梱包された全ての第一容器に付された第二識別情報から特定される医療機器の種類と、治療計画情報取得部が取得した治療計画情報のうち梱包指示書に付された第三識別情報から特定される治療施設及び治療時期に対応する医療機器の種類と、を対比することで、治療施設及び治療時期ごとに、第二容器に第一容器が適切に梱包されているか否かを判定することができる。これにより、第二容器に対する第一容器の梱包ミスを防止することができる。
【００２０】
また、院外施設は、医療機器を生産して、医療機器セットを構成する複数の医療機器を、治療施設、治療時期及び患者ごとに一つの第一容器に梱包する梱包施設と、梱包施設で梱包された第一容器を保管する保管施設と、保管施設に保管された第一容器を治療施設に配送する配送施設と、を有し、出力部は、梱包施設、保管施設及び配送施設のそれぞれにおいて梱包指示書を出力することができる。このように、梱包施設、保管施設及び配送施設のそれぞれにおいて梱包指示書を出力することで、梱包施設では、医療機器を第一容器に梱包する作業を円滑かつ確実に行うことができ、保管施設では、第一容器の管理性が向上し、配送施設では、確実かつ適時に第一容器を治療施設に配送することができる。
【００２１】
本発明に係る医療機器セット受発注方法は、院内施設において、患者の体液を浄化する体液浄化治療を行う治療施設及び治療時期と、体液浄化治療に用いる複数の医療機器を組み合わせた医療機器セットの情報と、を含む患者ごとの治療計画情報を院内施設側登録部に登録する院内施設側登録ステップと、院外施設において、医療機器セットを構成する複数の医療機器を治療施設、治療時期及び患者ごとに一つの第一容器に梱包して、当該第一容器を治療施設に配送するために、医療機器セットを構成する複数の医療機器を受注する医療機器セット受注ステップと、を備え、医療機器セット受注ステップは、院内施設側登録部に登録された治療計画情報を取得する治療計画情報取得ステップと、治療計画情報取得ステップにおいて取得した治療計画情報に基づいて、治療施設、治療時期及び患者ごとに医療機器セットを構成する複数の医療機器の種類を示す梱包指示書を出力する出力ステップと、を有することを特徴とする。
【００２２】
本発明に係る医療機器セット受発注方法によれば、院内施設において、院内施設側登録ステップにより院内施設側登録部に治療計画情報を登録すると、院外施設では、医療機器セット受注ステップの治療計画情報取得ステップにより、院内施設側登録部に登録された治療計画情報を取得し、更に、医療機器セット受注ステップの出力ステップにより、この取得した治療計画情報に基づいて、治療施設、治療時期及び患者と医療機器セットを構成する複数の医療機器との対応を示す梱包指示書を出力する。このため、院外施設では、出力ステップにより出力された梱包指示書を見ることで、医療機器セットを構成する複数の医療機器を治療施設、治療時期及び患者ごとに間違いなく一つの第一容器に梱包することができ、この梱包した第一容器を治療時期の前に治療施設に配送することができる。
【００２３】
これにより、治療施設では、体液浄化治療を行うときに必要な分だけ、体液浄化治療に用いる医療機器セットを構成する複数の医療機器を受け取ることになるため、治療施設における医療機器の在庫を削減することができる。また、治療施設に配送された第一容器には、治療時期及び患者ごとに体液浄化治療に用いる複数の医療機器が梱包されているため、治療施設では、体液浄化治療を行う際に体液浄化治療に用いる複数の医療機器を組み合わせる必要が無くなる。このため、治療施設における体液浄化治療の施行性が向上する。しかも、院外施設では、治療施設で必要な医療機器の種類及び数を適時に把握することができるため、医療機器の生産管理性が向上する。
【００２４】
また、出力ステップは、梱包指示書を治療施設及び治療時期ごとに纏めて出力する方法とすることができる。このように、出力ステップにおいて、梱包指示書を治療施設及び治療時期ごとに纏めて出力することで、医療機器セットを構成する複数の医療機器を梱包した第一容器を、治療施設及び治療時期ごとに容易に纏めることができる。これにより、治療施設への配送を、適時かつ効率的に行うことができる。
【００２５】
また、医療機器セット受注ステップは、出力ステップの後、梱包指示書に基づいて、医療機器セットを構成する複数の医療機器を、治療施設、治療時期及び患者ごとに一つの第一容器に梱包する第一梱包ステップを有する方法とすることができる。このように、梱包指示書に基づいて第一容器への梱包を行うことで、医療機器セットを構成する複数の医療機器を治療施設、治療時期及び患者ごとに間違いなく一つの第一容器に梱包することができる。
【発明の効果】
【００２６】
本発明によれば、体液浄化治療の施行性が向上し、治療施設における医療機器の在庫を削減でき、且つ医療機器の生産管理性が向上することができる。
【図面の簡単な説明】
【００２７】
【図１】医療機器セット受発注システムの概略構成図である。
【図２】第一容器に医療機器セットを構成する複数の医療機器が梱包される状態を示す斜視図である。
【図３】第二容器に複数の第一容器が梱包される状態を示す斜視図である。
【図４】出力部から出力される梱包指示書の一例を示す図である。
【発明を実施するための形態】
【００２８】
以下、本発明に係る医療機器セット受発注システム及び医療機器セット受発注方法の好適な実施形態について詳細に説明する。本実施形態は、本発明を、血液を浄化する透析治療に用いる医療機器セットを受発注する医療機器セット受発注システム及び医療機器セット受発注方法に適用したものである。なお、全図中、同一又は相当部分には同一符号を付すこととする。
【００２９】
図１は、医療機器セット受発注システムの概略構成図である。図１に示すように、本実施形態に係る医療機器セット受発注システム１は、１又は複数の院内施設２と、院外施設３と、に設けられている。
【００３０】
院内施設２は、病院等の医療機関であり、院内施設２に設置されているベッド２１等において、医師や看護師等の医療行為者による医療行為が行われる施設である。
【００３１】
院内施設２には、医療機関における情報管理を統括する院内施設サーバ２２が設置されており、院内施設サーバ２２には、電子カルテ２３（院内施設側登録部）が設けられている。
【００３２】
電子カルテ２３は、電子的にカルテを管理する管理システムであり、医療機関ごとに様々な種類の電子カルテが採用されている。この電子カルテ２３には、透析治療を行う患者の治療計画情報が登録されている。この治療計画情報には、透析治療を行う患者の氏名（患者名）、当該患者の寝ているベッドの番号（ベッド番号）、当該患者の透析治療を行う治療施設名、当該患者の透析治療を行う治療時期、当該患者の透析治療に用いる複数の医療機器の種類等が含まれる。
【００３３】
透析治療を行う治療施設は、通常、患者が透析治療のために入院している医療機関を指す。この場合、患者と透析治療を行う治療施設名とを一対一で対応させる必要はなく、電子カルテ２３自体に登録してある治療施設名を用いることができる。但し、在宅治療を行う場合は、透析治療を行う治療施設は自宅等の医療機関とは別の施設となるため、患者と在宅治療を行う場所とを一対一で対応させておくことが好ましい。なお、本実施形態では、院内施設２にて患者が透析治療を行い、院内施設２が透析治療を行う治療施設となる場合を示す。
【００３４】
透析治療を行う治療時期は、透析治療を行う年月日、曜日、時間帯、時間等により登録することができる。通常、透析施設では、一日に午前と午後の二回透析を行っており、一部の透析施設では夜間を加えた計三回行っているところもある。このような場合、透析治療を行う治療時期としては、○月○日午前、○月○日午後、○月○日夜間等のように指定することができる。また、定期的に透析治療を行う場合は、定期的な日程を入力することで透析治療を行う治療時期を登録するようにしてもよく、また、透析治療の結果を入力することで次回以降の透析治療を行う治療時期を更新していくようにしてもよい。
【００３５】
ここで、透析治療について簡単に説明する。透析治療では、まず、透析器（ダイアライザー）、透析回路（血液回路）及び透析用針を用意する。次に、透析回路に透析器と透析用針を接続し、透析回路を透析装置（血液浄化装置）にセットする。そして、透析用針を患者の血管に刺して透析装置を作動させ、透析器が接続された透析回路内で患者の血液を体外循環させることにより、患者の血液を浄化する。このように、透析治療では、少なくとも透析器、透析回路及び透析用針の医療機器を用意する必要があることから、透析器、透析回路及び透析用針を組み合わせた医療機器セットが、透析治療に用いる複数の医療機器となる。
【００３６】
また、医療機器セットを構成する各医療機器には様々な種類のものが存在するため、患者及び治療時期に応じて適切な種類の医療機器を組み合わせる必要がある。例えば、透析器の種類は、メーカー、グレード（透過性能）、膜面積の３つの組み合わせにより決まり、これらの組み合わせだけ透析器の種類がある。そこで、電子カルテ２３には、患者及び治療時期ごとに、透析治療に用いる医療機器の種類を登録する。
【００３７】
院外施設３は、医療機関の外部施設であり、透析治療に用いる複数の医療機器を生産して、治療施設（本実施形態では院内施設２）に医療機器セットを配送する施設である。このため、院外施設３には、梱包施設３１、保管施設３２及び配送施設３３の施設が設けられている。なお、梱包施設３１、保管施設３２及び配送施設３３は、如何なる場所に設けられていてもよく、それぞれ同じ場所に設置されていても異なる場所に設置されていてもよい。
【００３８】
梱包施設３１は、医療機器セットを構成する複数の医療機器を治療施設、治療時期及び患者ごとに梱包する施設である。
【００３９】
ここで、図２及び図３を参照して、梱包施設３１において医療機器を梱包する梱包工程について簡単に説明する。図２は、第一容器に医療機器セットを構成する複数の医療機器が梱包される状態を示す斜視図であり、図３は、第二容器に複数の第一容器が梱包される状態を示す斜視図である。
【００４０】
梱包施設３１では、まず、医療機器セット５を構成する透析器５１、透析回路５２及び透析用針５３を用意する。透析器５１には、当該透析器５１の種類を識別する第一識別情報α１が印刷された第一識別ラベルを付しておく（図２参照）。第一識別情報α１としては、例えば、バーコードを採用することができる。
【００４１】
梱包施設３１では、次に、図２に示すように、医療機器セット５を構成する透析器５１、透析回路５２及び透析用針５３を一つの第一容器７に梱包する。これにより、医療機器セット５が一次包装される。なお、図２では、第一容器７の蓋が空いた状態を示しているが、実際には、透析器５１、透析回路５２及び透析用針５３を梱包する際に第一容器７の蓋が閉められる。
【００４２】
梱包施設３１では、次に、図３に示すように、医療機器セット５を構成する透析器５１、透析回路５２及び透析用針５３が梱包された１又は複数の第一容器７を、治療施設及び治療時期ごとに第二容器８に梱包する。このため、第二容器８に梱包された１又は複数の第一容器７には、全て同じ治療施設及び同じ治療時期に行う透析治療に用いられる医療機器セット５を構成する透析器５１、透析回路５２及び透析用針５３が梱包されることになる。これにより、医療機器セット５が二次包装される。
【００４３】
図１に示すように、保管施設３２は、梱包施設３１で梱包された第二容器８を保管する倉庫等の施設である。保管施設３２は、例えば、一週間分の第二容器８を保管しておき、保管している第二容器８を透析前に配送施設３３に配送する。
【００４４】
配送施設３３は、保管施設３２から配送された第二容器８を、治療前に治療施設である院内施設２に配送する施設である。そして、配送施設３３では、医療機器セット５を構成する透析器５１、透析回路５２及び透析用針５３を取り出した第一容器７及び第二容器８を院内施設２から持ち帰り、洗浄及び消毒して必要に応じて梱包施設３１に返送する。
【００４５】
また、院外施設３には、各院内施設２の院内施設サーバ２２と電気的に接続された院外施設サーバ４（医療機器セット受注側装置）が設置されている。なお、院外施設サーバ４は、院外施設３のいかなる場所に設置されていてもよい。
【００４６】
院外施設サーバ４は、治療計画情報取得部４１と、治療計画情報登録部４２と、出力部４３と、識別情報取得部４４と、判定部４５と、を備えている。
【００４７】
治療計画情報取得部４１は、各院内施設２の院内施設サーバ２２に設けられた電子カルテ２３に登録された治療計画情報を取得するものである。治療計画情報取得部４１が取得する治療計画情報は、透析治療を行う患者の氏名（患者名）、当該患者が寝ているベッドの番号（ベッド番号）、当該患者の透析治療を行う治療施設名、当該患者の透析治療を行う治療時期、当該患者の透析治療に用いる複数の医療機器の種類等である。なお、透析治療を行う患者であるか否かの判断は、例えば、透析治療を識別する識別情報を電子カルテ２３の各患者の欄に付しておき、この識別情報の有無を検出することにより行うことができる。なお、治療計画情報取得部４１による治療計画情報の取得は、特に制限されるものではなく、例えば、治療計画情報取得部４１が電子カルテ２３にアクセスして登録されている治療計画情報を読み出すことにより行ってもよく、電子カルテ２３が登録している治療計画情報を治療計画情報取得部４１に送信することにより行ってもよい。
【００４８】
治療計画情報登録部４２は、治療計画情報取得部４１が取得した治療計画情報が登録されるものである。治療計画情報登録部４２では、治療計画情報取得部４１が取得した治療計画情報をどのような形態で登録してもよく、例えば、治療施設及び治療時期ごとに、シリアル番号、患者名、ベッド番号、透析治療に用いる複数の医療機器の種類を登録することができる。
【００４９】
出力部４３は、治療計画情報取得部４１が取得して治療計画情報登録部４２に登録した治療計画情報に基づいて、治療施設、治療時期及び患者ごとに医療機器セットを構成する複数の医療機器の種類を示す梱包指示書を出力するものである。梱包指示書の出力手段としては、プリンタ等の印刷装置により紙媒体として出力する手段や、ディスプレイ等の表示装置により電子情報として表示する手段等があるが、本実施形態では、印刷装置により紙媒体として出力する手段を採用するものとして説明する。
【００５０】
図４は、出力部から出力される梱包指示書の一例を示す図である。図４に示すように、出力部４３から出力される梱包指示書９は、治療施設及び治療時期ごとに纏められている。つまり、一枚の梱包指示書９に記載されている治療計画情報は、全て同じ治療施設及び同じ治療時期に行う透析治療に関する治療計画情報である。この場合、同じ治療施設及び同じ治療時期に行う全ての透析治療の治療計画情報が一枚の梱包指示書９に纏められていることが好ましいが、同じ治療施設及び同じ治療時期に行う透析治療の治療計画情報が一枚の梱包指示書９に収まりきらない場合は、同じ治療施設及び同じ治療時期に行う透析治療の治療計画情報を複数枚の梱包指示書９に分けてもよい。
【００５１】
梱包指示書９には、梱包指示書９を識別する情報として、透析治療を行う治療施設及び治療時期と、当該治療施設及び治療時期を識別する第三識別情報α３と、が印字されており、具体的な治療計画情報として、シリアル番号、当該治療施設及び治療時期に透析治療を行う患者名、ベッド番号、医療機器セットを構成する複数の医療機器（透析器、透析回路及び透析用針）の種類が印刷されている。なお、図４に示す梱包指示書９には、ＡＡ病院において○月○日に透析治療を行う患者は、ベッド番号１０１〜１０８に寝ている患者Ａ〜Ｈであり、各患者Ａ，Ｂ，Ｃ，Ｄ，Ｅ，Ｆ，Ｇ，Ｈの透析治療に用いる医療機器セットは、それぞれ透析器ａ１，ｂ１，ｃ１，ｄ１，ｅ１，ｆ１，ｇ１，ｈ１と、透析回路ａ２，ｂ２，ｃ２，ｄ２，ｅ２，ｆ２，ｇ２，ｈ２と、透析用針ａ３，ｂ３，ｃ３，ｄ３，ｅ３，ｆ３，ｇ３，ｈ３とであることが示されている。例えば、ベッド番号１０１に寝ている患者Ａの透析治療に用いる医療機器セットは、透析器ａ１、透析回路ａ２及び透析用針ａ３となる。
【００５２】
そして、出力部４３は、この梱包指示書９を、梱包施設３１、保管施設３２及び配送施設３３のそれぞれにおいて出力する。つまり、出力部４３は、梱包施設３１において医療機器セットを構成する複数の医療機器を、治療施設、治療時期及び患者ごとに一つの第一容器に梱包するために、梱包施設３１において梱包指示書９を出力する。また、出力部４３は、保管施設３２において保管する第二容器８を管理するために、保管施設３２において梱包指示書９を出力する。また、出力部４３は、配送施設３３において第二容器８を治療時期の前（治療前）に治療施設である院内施設２に配送するために、配送施設３３において梱包指示書９を出力する。
【００５３】
また、出力部４３は、第一容器７に付すための第一容器用識別ラベルを梱包施設３１において印刷出力する。第一容器用識別ラベルは、医療機器セット５を構成する複数の医療機器を、治療施設、治療時期及び患者ごとに識別する第二識別情報α２が印刷されたものである。第二識別情報α２としては、例えば、バーコードを採用することができる。この場合、第一容器用識別ラベルは、治療施設、治療時期、患者名（又はベッド番号）及びバーコードの第二識別情報α２が印刷されたものとすることができる。そして、梱包施設３１では、出力部４３から印刷出力された第一容器用識別ラベルを第一容器７に付す。
【００５４】
識別情報取得部４４は、透析器５１に付された第一識別ラベルに印刷された第一識別情報α１と、第一容器７に付された第一容器用識別ラベルに印刷された第二識別情報α２と、梱包指示書９に印刷された第三識別情報α３と、を取得するものである。例えば、第一識別情報α１、第二識別情報α２及び第三識別情報α３がバーコードである場合は、識別情報取得部４４をバーコードリーダーとし、これらのバーコードを読み取ることで、第一識別情報、第二識別情報及び第三識別情報を取得することができる。
【００５５】
判定部４５は、識別情報取得部４４で取得された第一識別情報α１及び第二識別情報α２に基づいて、第一容器７に医療機器セット５が適切に梱包されているか否かを判定する。具体的に説明すると、判定部４５は、識別情報取得部４４が取得した第一識別情報α１から、医療機器セット５として第一容器７に梱包された透析器５１の種類を特定する。また、判定部４５は、識別情報取得部４４が取得した第二識別情報α２から、第一容器７に梱包される、医療機器セット５を構成する透析器５１、透析回路５２及び透析用針５３の種類を特定する。
【００５６】
そして、判定部４５は、第一識別情報α１から特定された透析器５１の種類が、第二識別情報α２から特定された透析器５１の種類と一致するか否かを判定する。その結果、判定部４５は、一致しないと判定すると警告を発生する。これにより、第一容器７に対する医療機器セット５の梱包ミスを防止することができる。
【００５７】
また、判定部４５は、識別情報取得部４４で取得された第三識別情報α３及び第二識別情報α２に基づいて、第二容器８に１又は複数の第一容器７が適切に梱包されているか否かを判定する。具体的に説明すると、判定部４５は、識別情報取得部４４で取得された第三識別情報α３から、梱包指示書９に示される治療施設及び治療時期を特定する。また、判定部４５は、第二容器８に梱包されている全ての第一容器７について、識別情報取得部４４が取得した第二識別情報α２から、第一容器７に梱包される、医療機器セット５を構成する透析器５１、透析回路５２及び透析用針５３の種類を特定する。
【００５８】
そして、判定部４５は、識別情報取得部４４が取得した全ての第二識別情報α２から特定される、医療機器セット５を構成する透析器５１、透析回路５２及び透析用針５３の種類が、治療計画情報登録部４２に登録された治療データのうち、第三識別情報α３から特定した治療施設及び治療時期に対応する治療データと一致するか否かを判定する。その結果、判定部４５は、一致しないと判定すると警告を発生する。これにより、第二容器８に対する第一容器７の梱包ミスを防止することができる。
【００５９】
この場合、識別情報取得部４４により、第二容器８の端に梱包されている第一容器７から順に第二識別情報α２を取得することで、治療計画情報登録部４２に登録されている順に第一容器７が第二容器８に梱包されているか否かを判定することができる。
【００６０】
次に、本実施形態に係る医療機器セット受発注方法について説明する。
【００６１】
まず、院内施設２では、医療行為者が、電子カルテ２３に透析治療の治療計画情報を登録する（院内施設側登録ステップ）。電子カルテ２３に登録する治療計画情報としては、透析治療を行う患者の氏名、当該患者の寝ているベッドの番号、当該患者の透析治療を行う治療施設名、当該患者の透析治療を行う治療時期、当該患者の透析治療に用いる医療機器セット５を構成する透析器５１、透析回路５２及び透析用針５３の種類等がある。
【００６２】
一方、院外施設３では、電子カルテ２３に治療計画情報を登録することにより、医療機器セット５を構成する透析器５１、透析回路５２及び透析用針５３を受注する（医療機器セット受注ステップ）。以下、医療機器セット受注ステップについて詳しく説明する。
【００６３】
まず、院外施設３では、治療計画情報取得部４１が、電子カルテ２３に登録されている透析治療の治療計画情報を取得して治療計画情報登録部４２に登録する（治療計画情報取得ステップ）。なお、治療計画情報取得部４１による治療計画情報の取得は、随時行ってもよいが、毎日決まった時刻に行うことが好ましい。
【００６４】
次に、院外施設３では、出力部４３は、治療計画情報取得部４１が取得して治療計画情報登録部４２に登録した治療計画情報に基づいて、治療施設、治療時期及び患者ごとに医療機器セット５を構成する透析器５１、透析回路５２及び透析用針５３の種類を示す梱包指示書９（図４参照）を出力する（出力ステップ）。この梱包指示書９は、治療施設及び治療時期ごとに纏められており、一枚の梱包指示書９に記載されている治療計画情報は、全て同じ治療施設及び同じ治療時期に行う透析治療に関する治療計画情報となっている。
【００６５】
このとき、出力部４３は、この梱包指示書９を、梱包施設３１、保管施設３２及び配送施設３３のそれぞれにおいて出力する。なお、梱包施設３１、保管施設３２及び配送施設３３のそれぞれにおいて出力する梱包指示書９は、全て同じ治療計画情報が印刷されたものであってもよいが、プライベート情報保護の観点から、梱包施設３１及び保管施設３２においては、患者名やベッド番号のプライベート情報を除いた梱包指示書９を出力することが好ましい。この場合、梱包指示書９に記載されたシリアル番号により、患者を識別することができる。
【００６６】
そして、梱包施設３１では、出力部４３から出力された梱包指示書９に基づいて、医療機器セット５を構成する複数の医療機器の梱包作業を行う。この梱包作業は、一次包装工程と、二次包装工程と、により行う。
【００６７】
一次包装工程では、透析治療に用いる医療機器セット５を構成する透析器５１、透析回路５２及び透析用針５３を、一つの第一容器７に梱包する（第一梱包ステップ）。このとき、梱包施設３１では、出力部４３から第二識別情報α２が印刷された第一容器用識別ラベルが出力されるため、この出力された第一容器用識別ラベルを第一容器７に付しておく。そして、梱包施設３１では、識別情報取得部４４が、医療機器に付された第一識別ラベルに印刷された第一識別情報α１と第一容器７に付された第一容器用識別ラベルに印刷された第二識別情報α２とを取得すると、判定部４５が、この取得した第一識別情報α１及び第二識別情報α２に基づいて、第一容器７に医療機器セット５が適切に梱包されているか否かを判定する。なお、判定部４５によるこの判定手法は、上述した通りである。
【００６８】
二次包装工程では、治療施設及び治療時期ごとに、透析治療に用いる医療機器セット５を構成する透析器５１、透析回路５２及び透析用針５３が梱包された１又は複数の第一容器７を、第二容器８に梱包する（第二梱包ステップ）。このとき、梱包施設３１では、識別情報取得部４４が、第一容器７に付された第一識別ラベルに印刷された第二識別情報α２と梱包指示書９に印刷された第三識別情報α３とを取得し、判定部４５が、この取得した第二識別情報α２及び第三識別情報α３に基づいて、第二容器８に１又は複数の第一容器７が適切に梱包されているか否かを判定する。なお、判定部４５によるこの判定は、上述した通りである。
【００６９】
そして、梱包施設３１では、梱包された第一容器７を保管施設３２に配送する。
【００７０】
このように、梱包施設３１において梱包指示書９を出力することで、治療施設、治療時期及び患者と医療機器セットを構成する複数の医療機器の種類との関係が明確になるため、梱包施設３１において医療機器セット５を構成する複数の医療機器の梱包作業を円滑かつ確実に行うことができる。
【００７１】
保管施設３２では、出力部４３から出力された梱包指示書９に基づいて、梱包施設３１から配送された第二容器８を保管し、この保管している第二容器８を、治療時期の前に梱包指示書９に示された治療施設を管轄する配送施設３３に配送する。
【００７２】
このように、保管施設３２において梱包指示書９を出力することで、配送する配送施設３３及び配送施設３３への配送時期が明確になるため、保管施設３２における第一容器７の保管管理性が向上する。
【００７３】
配送施設３３では、出力部４３から出力された梱包指示書９に基づいて、保管施設３２から配送された第二容器８を、治療時期の前に治療施設である院内施設２に配送する（第一配送ステップ，第二配送ステップ）。
【００７４】
このように、配送施設３３において梱包指示書９を出力することで、第二容器８を配送する治療施設及び治療施設への配送時期が明確になるため、確実かつ適時に第一容器を治療施設に配送することができる。
【００７５】
治療施設である院内施設２では、配送施設３３から第二容器８が配送されると、第二容器８を開梱して各第一容器７を患者のベッドに持って行き、更に第一容器７を開梱して医療機器セット５を構成する複数の医療機器を患者のベッド脇に置く。空になった第一容器７及び第二容器８は、配送施設３３に持ち帰り、洗浄及び消毒して必要に応じて梱包施設３１に返却する。
【００７６】
そして、治療施設である院内施設２では、ベッド脇に置かれた医療機器セット５を構成する複数の医療機器を接続することで、透析治療を行う。
【００７７】
以上説明したように、本実施形態によれば、院内施設２において電子カルテ２３に治療計画情報を登録すると、院外施設３の院外施設サーバ４では、治療計画情報取得部４１が、電子カルテ２３に登録された治療計画情報を取得し、更に、出力部４３が、この取得した治療計画情報に基づいて、治療施設、治療時期及び患者と医療機器セット５を構成する複数の医療機器との対応を示す梱包指示書９を出力する。このため、院外施設３では、出力部４３から出力された梱包指示書９を見ることで、医療機器セット５を構成する複数の医療機器を治療施設、治療時期及び患者ごとに間違いなく一つの第一容器７に梱包することができるとともに、１又は複数の第一容器７を治療施設及び治療時期ごとに間違いなく第二容器８に梱包することができ、この梱包した第二容器８を治療時期の前に治療施設である院内施設２に配送することができる。
【００７８】
これにより、治療施設である院内施設２では、透析治療を行うときに必要な分だけ、透析治療に用いる医療機器セット５を構成する透析器５１、透析回路５２及び透析用針５３を受け取ることになるため、治療施設における医療機器の在庫を削減することができる。また、治療施設である院内施設２に配送された第二容器８に梱包された第一容器７には、治療時期及び患者ごとに体液浄化治療に用いる透析器５１、透析回路５２及び透析用針５３が梱包されているため、治療施設である院内施設２では、体液浄化治療を行う際に体液浄化治療に用いる複数の医療機器を組み合わせる必要が無くなる。このため、治療施設である院内施設２における体液浄化治療の施行性が向上する。しかも、院外施設３では、治療施設で必要な医療機器の種類及び数を適時に把握することができるため、医療機器の生産管理性が向上する。
【００７９】
また、梱包指示書９を治療施設及び治療時期ごとに纏めて出力することで、医療機器セット５を構成する複数の医療機器を梱包した第一容器７を、治療施設及び治療時期ごとに容易に纏めることができる。これにより、治療施設への配送を、適時かつ効率的に行うことができる。
【００８０】
また、医療機器セット５を構成する複数の医療機器のうち少なくとも一種に第一識別情報α１を付すとともに、第一容器７に第二識別情報α２を付すことで、第一容器７に医療機器が適切に梱包されているか否かを判定することができる。これにより、第一容器７に対する医療機器セット５の梱包ミスを防止することができる。
【００８１】
また、第一容器７に第二識別情報α２を付すとともに、梱包指示書９に第三識別情報α３を付すことで、治療施設及び治療時期ごとに、第二容器８に第一容器７が適切に梱包されているか否かを判定することができる。これにより、第二容器８に対する第一容器７の梱包ミスを防止することができる。
【００８２】
以上、本発明の好適な実施形態について説明したが、本発明は上記実施形態に限定されるものではない。例えば、上記実施形態では、医療機器セットを構成する複数の医療機器の一例として、透析器、透析回路、透析用針の３つの医療機器を挙げて説明したが、医療機器セットを構成する複数の医療機器はこれらに限定されるものではなく、適宜変更することが可能である。また、上記実施形態では、透析治療に適用した例を説明したが、例えば、腹水体外に取り出し、対外浄化器に循環させて浄化し、体内に戻す治療等に適用してもよい。
【符号の説明】
【００８３】
１…医療機器セット受発注システム、２…院内施設、３…院外施設、４…院外施設サーバ、５…医療機器セット、７…第一容器、８…第二容器、９…梱包指示書、２１…ベッド、２２…院内施設サーバ、２３…電子カルテ（院内施設側登録部）、３１…梱包施設、３２…保管施設、３３…配送施設、４１…治療計画情報取得部、４２…治療計画情報登録部、４３…出力部、４４…識別情報取得部、４５…判定部、５１…透析器、５２…透析回路、５３…透析用針、α１…第一識別情報、α２…第二識別情報、α３…第三識別情報。
【図１】
2014228942.tif 000003
【図２】
2014228942.tif 000004
【図３】
2014228942.tif 000005
【図４】
2014228942.tif 000006